(57)【要約】【課題】愛玩動物が内部に入ることができるテーブルを提供する。【解決手段】テーブル１は、空洞状の内部に通じる穴部２ａが形成された本体２、本体２の上面を塞ぐ天板３、及び本体２を支持する脚部５を備える。天板３により本体２の上面が塞がれ、その本体２に内部に通じる穴部２ａが形成されていることで、愛玩動物が、天板３により上面を塞ぐことで本体２の内部に形成される空間に、本体２に形成された穴部２ａを介して入り、空間内で遊ぶ、寝るなどすることができる。また、飼育者は、テーブル１で食事をとっている際に又は団欒をとっている際に、本体２の内部の空間内の愛玩動物を観賞することができる。【選択図】図１
0003203660.tif 000002
【実用新案登録請求の範囲】
【請求項１】
空洞状の内部と、
前記内部に通じる穴部が形成された本体と、
前記本体の上面を塞ぐ天板と、
前記本体を支持する脚部と、
を備えることを特徴とするテーブル。
【請求項２】
前記天板には、開口が形成されていることを特徴とする、請求項１に記載のテーブル。
【請求項３】
前記天板の開口を塞ぐ透光性部材をさらに備えることを特徴とする、請求項２に記載のテーブル。
【請求項４】
前記穴部は、１０ｃｍ以上の幅を有することを特徴とする、請求項１から３のいずれか一項に記載のテーブル。
【請求項５】
前記脚部は、前記天板を床面から約３５〜４５ｃｍの高さに、前記本体の底部を床面から１０ｃｍ以上の高さにそれぞれ支持する長さを有することを特徴とする、請求項１から４のいずれか一項に記載のテーブル。
【請求項６】
前記内部に設けられるクッション材をさらに備えることを特徴とする、請求項１から５のいずれか一項に記載のテーブル。
【請求項７】
前記内部に愛玩動物用遊具が固定されていることを特徴とする、請求項１から６のいずれか一項に記載のテーブル。
【考案の詳細な説明】
【技術分野】
【０００１】
本考案は、愛玩動物が内部に入ることができるテーブルに関する。
【背景技術】
【０００２】
今日の住宅事情により、猫、犬（但し、小型犬）等の愛玩動物を室内で飼育することが増えている。ここで、寝床、遊ぶ場所等として、室内に小屋（特許文献１参照）が設けることもある。しかし、室内のスペースは限られ、小屋を設けることは困難である。設けるとしても、室内の隅に設けられることとなり、食事や団欒の際に愛玩動物を観賞するには不便である。
【先行技術文献】
【特許文献】
【０００３】
【特許文献１】特開２００４−０４９１１７号公報
【考案の概要】
【考案が解決しようとする課題】
【０００４】
本考案は、愛玩動物が内部に入ることができるテーブルを提供することを課題とする。
【課題を解決するための手段】
【０００５】
本考案は、空洞状の内部と、内部に通じる穴部が形成された本体と、本体の上面を塞ぐ天板と、本体を支持する脚部と、を備えることを特徴とするテーブルである。
【０００６】
これによれば、天板により本体の上面が塞がれ、その本体に内部に通じる穴部が形成されていることで、愛玩動物が、天板により上面を塞ぐことで内部に形成される空間に、本体に形成された穴部を介して入り、空間内で遊ぶ、寝るなどのことができる。テーブルが小屋を兼用することとなり、室内空間の効率的な活用ができる。
空洞状の内部は、外部があまり見えず、愛玩動物が落ち着いて生活することができる。ここで「空洞状」とは、（穴部からの愛玩動物の出入りが可能な点を除き）外部と隔離された空間の状態を言う。例えば一面が解放された溝（典型的には半円柱状の溝であって円の直径方向に沿って解放されたもの）のように、１方向に沿って内部の一端から他端まで通じる解放部（穴部）を有するものを除く。隔離された空間として認識され、愛玩動物が「自分の居所」として安心できる。この目的のため、内部全体の表面積に対する穴部の断面積の比率は、１０％以下であることが好ましい。
【０００７】
本考案のテーブルは、天板には、開口が形成されていることを特徴とする。
【０００８】
これによれば、天板に開口が形成されていることで、テーブルを使用するユーザが、天板の開口を介して天板の上側から内部を覗くことができる。食事をしながら愛玩動物を見て楽しむことができる。
【０００９】
本考案のテーブルは、天板の開口を塞ぐ透光性部材をさらに備えることを特徴とする。
【００１０】
これによれば、天板の開口が透光性部材により塞がれることで、透光性部材により塞がれる開口を介して内部を覗くことができるとともに、天板をテーブル面として使用することができる。
【００１１】
本考案のテーブルは、穴部は、１０ｃｍ以上の幅を有することを特徴とする。
【００１２】
これによれば、穴部が１０ｃｍ以上の幅を有することで、小型の愛玩動物が穴部を通って内部の空間に入ることができる。
【００１３】
本考案のテーブルは、脚部は、天板を床面から約３５〜４５ｃｍの高さに、本体の底部を床面から１０〜２０ｃｍの高さにそれぞれ支持する長さを有することを特徴とする。
【００１４】
これによれば、脚部が天板を床面から約３５〜４５ｃｍの高さに、本体の底部を床面から１０ｃｍ以上の高さにそれぞれ支持する長さを有することで、天板をテーブル面として適当な高さに支持し、本体を愛玩動物が穴部を通ることのできる高さに支持することができる。
【００１５】
本考案のテーブルは、内部に設けられるクッション材をさらに備えることを特徴とする。
【００１６】
これによれば、内部にクッション材が設けられていることで、愛玩動物が内部のクッション材上で寝ることができる。また、安全である。
【００１７】
本考案のテーブルは、内部に愛玩動物用遊具が固定されていることを特徴とする。
【００１８】
これによれば、遊具があることを知った愛玩動物が、内部に入ることを好む。テーブルを愛玩動物用の小屋として活用することができる。なお、ここで「遊具」とは愛玩動物が好むものであれば何であってもよく、回転する車、階段状の床などが含まれる、また、遊ぶものではないが、猫を愛玩動物とする場合には爪砥ぎ具であってもよい。
【考案の効果】
【００１９】
本考案のテーブルによれば、愛玩動物がテーブルの内部に入り、その愛玩動物を食事中等に観賞することが可能となる。また、テーブルが小屋として活用され、室内の空間が有効に活用される。
【図面の簡単な説明】
【００２０】
【図１】図１は、第１の実施形態に係るテーブルの構成を示す図である。
【図２】図２は、第２の実施形態に係るテーブルの構成を示す図である。
【考案を実施するための形態】
【００２１】
以下、本考案の実施形態について説明する。
【００２２】
図１に、第１の実施形態に係るテーブル１の構成を示す。ここで、図１（Ａ）、図１（Ｂ）、及び図１（Ｃ）は、それぞれ、上面図、底面図、及び側面図である。図１（Ａ）、図１（Ｂ）、及び図１（Ｃ）における左右方向を横方向、図１（Ａ）及び図１（Ｂ）における上下方向を縦方向、図１（Ｃ）における上下方向を高さ方向とする。テーブル１は、猫等の愛玩動物が内部に入ることができるテーブルであり、本体２、天板３、窓４、及び脚部５を含んで構成される。
【００２３】
本体２は、上面が開いた半楕円球殻状の部材である。本体２は、一例として、表面がフッ素塩酸処理されたスチール製のプレートからなり、上面の直径（Ｄ）は９０ｃｍ、高さ（Ｈ−ｈ）は２６ｃｍである。
【００２４】
本体２には、内部に通じる穴部２ａが、本体２の上端近傍に９０度間隔で４つ設けられている。各穴部２ａは、１０ｃｍ以上の幅を有する。本実施形態では、穴部２ａは、横方向又は縦方向を長手とする楕円形を有し、その長手の長さｗは２０ｃｍ、短手の長さは１２ｃｍである。それにより、小型の愛玩動物が穴部２ａを通って本体２の内部の空間に入ることができる。
【００２５】
天板３は、本体２の上面を塞ぐ板状部材である。天板３は、一例として、木製であり、直径（Ｄ）は９０ｃｍ、厚さは３ｃｍである。天板３には、直径２０ｃｍの円形状の開口３ａが、四半領域の１つに１つ形成されている。それにより、テーブル１を使用するユーザが、天板３の開口３ａを介して天板３の上側から本体２の内部を覗くことができる。
【００２６】
窓４は、例えばガラス等の透光性を有する透光性部材であり、天板３の開口３ａと同じ形状（すなわち、円形状）及び同じ大きさ（すなわち、直径２０ｃｍ）を有する。窓４は、天板３の開口３ａに嵌入されてこれを塞ぎ、天板３と面一な上面を形成する。それにより、窓４を介して、すなわち窓４により塞がれた開口３ａを介して本体２の内部を覗くことができるとともに、天板３をテーブル面として使用することができる。
【００２７】
脚部５は、床面Ｆ上で本体２を支持する部材であり、複数の脚部材５ａを有する。脚部材５ａは、穴部２ａに隣接して、本体２の外面上に９０度間隔で４つ設けられている。各脚部材５ａは、一例として、長さ２０ｃｍ及び直径１．５ｃｍの管状に成形され、その表面はメラミン焼付塗装されている。各脚部材５ａの一端は本体２の外面上に傾動可能に固定され、他端には床面Ｆに面接触する円盤状の支持部材が固定されている。脚部５により、天板３が、テーブル面として適当な高さ、すなわち床面Ｆから約３５〜４５ｃｍの高さＨに、本体２の底部が、愛玩動物が穴部２ａを通ることのできる高さ、すなわち床面Ｆから１０〜２０ｃｍの高さｈにそれぞれ支持される。
【００２８】
以上詳細に説明したように、本実施形態のテーブル１は、内部に通じる穴部２ａが形成された本体２、本体２の上面を塞ぐ天板３、及び本体２を支持する脚部５を備える。天板３により本体２の上面が塞がれ、その本体２に内部に通じる穴部２ａが形成されていることで、愛玩動物が、天板３により上面を塞ぐことで本体２の内部に形成される空間に、本体２に形成された穴部２ａを介して入り、空間内で遊ぶ、寝るなどすることができる。また、飼育者は、テーブル１で食事をとっている際に又は団欒をとっている際に、本体２の内部の空間内の愛玩動物を観賞することができる。
【００２９】
図２に、第２の実施形態に係るテーブル１１の構成を示す。先述のテーブル１における構成要素と対応する要素には同じ符号を付する。ここで、図２（Ａ）、図２（Ｂ）、及び図２（Ｃ）は、それぞれ、上面図、底面図、及び側面図である。図２（Ａ）、図２（Ｂ）、及び図２（Ｃ）における左右方向を横方向、図２（Ａ）及び図２（Ｂ）における上下方向を縦方向、図２（Ｃ）における上下方向を高さ方向とする。テーブル１１は、本体２、天板３、窓４ａ〜４ｃ及び窓４ｄ〜４ｅ、及び脚部５を含んで構成される。
【００３０】
本体２は、上面が正方形状に開いた立方体状の箱体である。本体２は、一例として、表面がフッ素塩酸処理されたスチール製のプレートからなり、上面の一辺の長さ（Ｄ）は９０ｃｍ、高さ（Ｈ−ｈ）は２６ｃｍである。
【００３１】
本体２には、内部に通じる穴部２ａが、４つの側面に各１つ設けられている。穴部２ａは、１０ｃｍ以上の幅を有する。本実施形態では、穴部２ａは、直径２０ｃｍの円形状を有する。それにより、小型の愛玩動物が穴部２ａを通って内部の空間に入ることができる。
【００３２】
また、本体２には、図４（Ｃ）における手前の側面に半円状の開口２ｂ及び四半円状の開口２ｃ、右側の側面に半円状の開口（不図示）及び四半円状の開口（不図示）が形成されている。
【００３３】
天板３は、本体２の上面を塞ぐ正方形状の板状部材である。天板３は、一例として、木製であり、一辺の長さ（Ｄ）は９０ｃｍ、厚さは３ｃｍである。天板３には、直径３０ｃｍの円形状の開口３ａが、四半領域の１つに１つ形成されている。それにより、テーブル１を使用するユーザが、天板３の開口３ａを介して天板３の上側から本体２の内部を覗くことができる。
【００３４】
その他、天板３には、図２（Ａ）における下側及び右側に半円状の開口３ｂ、右下に四半円状の開口３ｃが形成されている。下側の開口３ｂは本体２の手前側面の開口２ｂと、右側の開口３ｂは本体の右側面の開口（不図示）と、開口３ｃは本体の手前側面の開口２ｃ及び右側面の開口（不図示）と、それぞれ連なる。
【００３５】
窓４ａ〜４ｃは、例えばガラス等の透光性を有する透光性部材である。窓４ａは、天板３の開口３ａと同じ形状（すなわち、円形状）及び同じ大きさ（すなわち、直径２０ｃｍ）を有し、開口３ａに嵌入されてこれを塞ぎ、天板３と面一な上面を形成する。２つの窓４ｂは、天板３の２つの開口３ｂと同じ形状（すなわち、半円形状）及び同じ大きさを有し、２つの開口３ｂに嵌入されてこれらを塞ぎ、天板３と面一な上面を形成する。窓４ｃは、天板３の開口３ｃと同じ形状（すなわち、四半円形状）及び同じ大きさを有し、開口３ｃに嵌入されてこれを塞ぎ、天板３と面一な上面を形成する。それにより、窓４ａ〜４ｃを介して、すなわち窓４ａ〜４ｃにより塞がれた開口３ａ〜３ｃを介して本体２の内部を覗くことができるとともに、天板３をテーブル面として使用することができる。
【００３６】
窓４ｄ〜４ｅは、窓４ａ〜４ｃと同様の透光性部材である。窓４ｄは、本体２の手前側面の開口２ｂと同じ形状（すなわち、円形状）及び同じ大きさを有し、開口２ｂに嵌入されてこれを塞ぎ、本体２と面一な側面を形成する。なお、窓４ｄは、窓４ｂと一体成形されている。窓４ｅは、本体２の側面の開口２ｃと同じ形状（すなわち、四半円形状）及び同じ大きさを有し、開口２ｃに嵌入されてこれを塞ぎ、本体２と面一な側面を形成する。なお、窓４ｅは、窓４ｃ（及び本体２の右側面の四半円形の開口を塞ぐ窓）と一体成形されている。また、窓４ｄと同様の窓（不図示）が、本体２の右側面の半円形の開口（不図示）を塞いでいる。同様に、窓４ｅと同様の窓（不図示）が、本体２の右側面の四半円状の開口（不図示）を塞いでいる。
【００３７】
脚部５は、床面Ｆ上で本体２を支持する部材であり、複数の脚部材５ａを有する。脚部材５ａは、本体２の底面の４つの隅部に各１つ設けられている。各脚部材５ａは、一例として、長さ１２ｃｍ及び直径１．５ｃｍの管状に成形され、その表面はフッ素塩酸処理されている。各脚部材５ａの一端は本体２の底面に固定され、他端には床面Ｆに面接触する円盤状の支持部材が固定されている。脚部５により、天板３が、テーブル面として適当な高さ、すなわち床面Ｆから約３５〜４５ｃｍの高さＨに、本体２の底部が、愛玩動物が穴部２ａを通ることのできる高さ、すなわち床面Ｆから１０〜２０ｃｍの高さｈにそれぞれ支持される。
【００３８】
以上詳細に説明したように、本実施形態のテーブル１１は、内部に通じる穴部２ａが形成された本体２、本体２の上面を塞ぐ天板３、及び本体２を支持する脚部５を備える。天板３により本体２の上面が塞がれ、その本体２に内部に通じる穴部２ａが形成されていることで、愛玩動物が、天板３により上面を塞ぐことで本体２の内部に形成される空間に、本体２に形成された穴部２ａを介して入り、空間内で遊ぶ、寝るなどすることができる。また、飼育者は、テーブル１で食事をとっている際に又は団欒をとっている際に、本体２の内部の空間内の愛玩動物を観賞することができる。
【００３９】
なお、第１及び第２の実施形態に係るテーブル１，１１において、本体２の内部にクッション材（不図示）を設けてもよい。それにより、愛玩動物が本体２の内部のクッション材上で寝ることができる。また、クッションにより、愛玩動物が内面にぶつかった場合に傷ついてしまうことを防ぎ、安全である。
【００４０】
さらに、本体２の内部に遊具を設けてもよい。遊具としては回転車、階段状の床などが考えられる。ボール等の遊具は飼い主が本体２の内部に入れることができるが、内部に固定されて飼い主が入れるものではない遊具をも活用することができる。遊具を知った愛玩動物が好んで内部に入るようになる。また、遊ぶものではないが、猫を愛玩動物とする場合には爪砥ぎ具であってもよい。愛玩動物が好むものであれば同様の効果を得る。
【００４１】
また、脚部５に含まれる脚部材５ａは、例えば１０〜１００ｃｍの範囲で可変長に構成してもよい。それにより、テーブル１，１１を食卓として使用することもできる。
【産業上の利用可能性】
【００４２】
本考案のテーブルは、愛玩動物がテーブルの内部に入り、その愛玩動物を食事中等に観賞するのに好適である。多くに飼い主による利用が考えられる。
【符号の説明】
【００４３】
１    テーブル
２    本体
２ａ  穴部
２ｂ  開口
２ｃ  開口
３    天板
３ａ  開口
３ｂ  開口
３ｃ  開口
４    窓
４ａ  窓
４ｂ  窓
４ｃ  窓
４ｄ  窓
４ｅ  窓
５    脚部
５ａ  脚部材
１１  テーブル
【図１】
0003203660.tif 000003
【図２】
0003203660.tif 000004